(57)【要約】      （修正有）【課題】引き出されたばねの帯体が取付け部材に隠されて外部から見えないようにして、帯体に異物等が挟まらないようにする商品押出器具を提供する。【解決手段】商品を吊り下げたフック２に着脱可能に取り付けられる取付部材３を備え、取付部材に商品の押出体４がスライド可能に取り付けられる。押出体に定荷重ばね５の巻取部２９が収容され、巻取部から引き出された帯体２８の先端が取付部材の先端側の固定リブ３２に固定される。取付部材がフックに取り付けられると、取付部材の下面はフックおよび商品から離れて位置する。取付部材の下面に、引き出された帯体を取付部材からはみ出さないように案内する長溝３１が形成される。商品の上方に位置する帯体は長溝に沿って引き出され、取付部材に隠される。【選択図】図３
0003226452.tif 000002
【実用新案登録請求の範囲】
【請求項１】
商品を吊り下げたフックに押出体がスライド可能に設けられ、帯体を巻き取った巻取部から帯体の先端が引き出される定荷重ばねの付勢力によって押出体が商品をフックの先端側に押し出す商品押出器具であって、
フックに着脱可能に取り付けられる取付部材を備え、取付部材に押出体がスライド可能に取り付けられ、押出体に定荷重ばねの巻取部が収容され、帯体の先端が取付部材の先端側に固定され、取付部材の下面はフックおよび商品から離れて位置し、取付部材の下面に、引き出された帯体を取付部材からはみ出さないように案内する長溝が形成されたことを特徴とする商品押出器具。
【請求項２】
商品を吊り下げたシングル型のフックに押出体がスライド可能に設けられ、帯体を巻き取った巻取部から帯体の先端が引き出される定荷重ばねの付勢力によって押出体が商品をフックの先端側に押し出す商品押出器具であって、
フックに着脱可能に取り付けられる取付部材を備え、取付部材に押出体がスライド可能に取り付けられ、押出体に定荷重ばねの巻取部が収容され、帯体の先端が取付部材の先端側に固定され、
取付部材の後端側に、フックを挟み込む爪が設けられ、取付部材の先端側に、フックの湾曲した先端を嵌め込んで保持する保持部が設けられ、取付部材の下面はフックおよび商品から離れた上方に位置し、取付部材の下面に、引き出された帯体を取付部材からはみ出さないように案内する長溝が形成されたことを特徴とする商品押出器具。
【請求項３】
商品を吊り下げた上下２段のダブル型のフックに押出体がスライド可能に設けられ、帯体を巻き取った巻取部から帯体の先端が引き出される定荷重ばねの付勢力によって押出体が商品をフックの先端側に押し出す商品押出器具であって、
上段のフックに着脱可能に取り付けられる取付部材を備え、取付部材に押出体がスライド可能に取り付けられ、押出体に定荷重ばねの巻取部が収容され、帯体の先端が取付部材の先端側に固定され、
取付部材の上面に、上段のフックを挟み込む爪が設けられ、取付部材の下面は下段のフックおよび商品から離れて位置し、取付部材の下面に、引き出された帯体を取付部材からはみ出さないように案内する長溝が形成されたことを特徴とする商品押出器具。
【考案の詳細な説明】
【技術分野】
【０００１】
本考案は、水平に設置されたフックに吊り下げられた商品をフックの先端側に押し出す商品押出器具に関する。
【背景技術】
【０００２】
店舗販売では、フックバーに取り付けられたフックに多数の商品が吊り下げられて陳列されている。そして、商品を取り出しやすくするために、商品押出器具が取り付けられ、フックに吊り下げられた商品はフックの先端側に向かって押し出される。特許文献１に記載の商品押出器具は、フックにスライド可能に設けられる商品押出具と、商品押出具をフックの先端側に向かって付勢する帯状巻き取り型ばねと、巻き取り型ばねの引き出された先端部が取り付けられる可動型ストッパとから構成される。上下２段のダブル型のフックの場合、上段のフックに商品押出具およびストッパが取り付けられる。シングル型のフックの場合、上段フック形成用部材が下段のフックの台座に取り付けられ、上段フックに商品押出具がスライド可能に取り付けられる。
【先行技術文献】
【特許文献】
【０００３】
【特許文献１】特許第３４３３３０８号公報
【考案の開示】
【考案が解決しようとする課題】
【０００４】
上記の商品押出器具では、ばねはフックに沿って引き出されるので、ばねがむき出しになって、外部から見える。そのため、ばねとフックとの間に異物が挟まったり、隣のフックの商品が引っ掛かると、商品押出器具がスライドできなくなるおそれがある。そこで、本考案は、上記に鑑み、引き出されたばねが外部から見えないようにして、異物等が挟まらないようにした商品押出器具の提供を目的とする。
【課題を解決するための手段】
【０００５】
本考案の商品押出器具は、商品を吊り下げたフックに押出体がスライド可能に設けられ、帯体を巻き取った巻取部から帯体の先端が引き出される定荷重ばねの付勢力によって押出体が商品をフックの先端側に押し出すものであって、フックに着脱可能に取り付けられる取付部材を備え、取付部材に押出体がスライド可能に取り付けられ、押出体に定荷重ばねの巻取部が収容され、帯体の先端が取付部材の先端側に固定され、取付部材の下面はフックおよび商品から離れて位置し、取付部材の下面に、引き出された帯体を取付部材からはみ出さないように案内する長溝が形成される。
【０００６】
シングル型のフックに取り付けられる商品押出器具では、取付部材の後端側に、フックを挟み込む爪が設けられ、取付部材の先端側に、フックの湾曲した先端を嵌め込んで保持する保持部が設けられる。取付部材は、フックから離れた上方に位置する。上下２段のダブル型のフックに取り付けられる商品押出器具では、取付部材の上面に、上段のフックを挟み込む爪が設けられ、取付部材は上段のフックに着脱可能に取り付けられる。取付部材は、商品が吊り下げられる下段のフックから離れた上方に位置する。
【考案の効果】
【０００７】
本考案によると、商品の上方にある定荷重ばねの帯体は取付部材に隠れるので、帯体が商品に接触したり、帯体に異物が挟まることがなく、商品をスムーズに押し出すことができる。
【図面の簡単な説明】
【０００８】
【図１】本考案の商品を吊り下げたシングル型のフックに取り付けられた商品押出器具の斜視図
【図２】商品押出器具の側面図
【図３】商品押出器具の断面図
【図４】商品押出器具の斜視図
【図５】商品を吊り下げたダブル型のフックに取り付けられた商品押出器具の斜視図
【図６】商品押出器具の側面図
【図７】商品押出器具の断面図
【図８】商品押出器具の斜視図
【考案を実施するための最良の形態】
【０００９】
本実施形態の商品押出器具は、図１〜４に示すように、商品１を吊り下げたシングル型のフック２に取り付けられる取付部材３と、取付部材３にスライド可能に取り付けられる押出体４と、押出体４を付勢力によってフック２の先端側に押し出す定荷重ばね５とから構成される。フック２の後端に連結具６が一体的に設けられ、連結具６がフックバー７に取り付けられることにより、フック２は手前側に向かって水平に伸びるように保持される。そして、複数のフック２が左右方向に等間隔に並べられる。
【００１０】
取付部材２は、フック２の湾曲した先端を挟み込む保持部１０と、フック２の後端側に取り付けられる取付部１１と、押出体４をスライド可能に支持するガイド部１２とを有する。ガイド部１２の前側に保持部１０が設けられ、後側に取付部１１が設けられ、これらは一体的に樹脂成形される。押出体４は、商品１に当接する押出部１３と、取付部材３に取り付けられるスライド部１４と、定荷重ばね５を収容する収容部１５とを有し、これらは一体的に樹脂成形される。
【００１１】
取付部材３の保持部１０に、フック２の湾曲した先端に対応した湾曲面を有する凹み２０が形成される。フック２が凹み２０に嵌め込まれると、フック２の先端が湾曲面に密着して、取付部材３がフック２にしっかりと保持される。保持部１０の先端に、商品１を案内するための表示部２１が着脱可能に装着される。
【００１２】
取付部１１の下部に、フック２を挟み込む爪２２が左右一対に設けられ、爪２２の後方に、フック２の後端を覆い隠すように側壁２３および後壁２４が形成される。爪２２がフック２に取り付けられたとき、側壁２３はフックバー７の上方に位置し、後壁２４はフックバー７の後方に位置する。
【００１３】
ガイド部１２は、フック２と平行になるように直線状に形成され、保持部１０の上側と取付部１１の上側をつなぐ。取付部材３をフック２に取り付けたとき、ガイド部１２はフック２から離れた上方に位置する。ガイド部１２では、左右両側に張り出すようにレール２５が設けられる。押出体４のスライド部１４はレール２５を上下から挟み込み、スライド部１４がガイド部１２にスライド可能に支持され、押出体４はレール２５に沿ってスライドする。レール２５の先端および後端にストッパ２６が設けられ、スライド部１４がストッパ２６に当接すると、押出体４のスライドが規制される。
【００１４】
スライド部１４から下方に向かって長板状の押出部１３が形成される。押出部１３の下部の中央に縦溝２７が形成され、縦溝２７にフック２が挿入される。押出体４はフック２を跨ぐようにしてフック２に沿ってスライドし、押出部１３の前面に当接した商品１を先端側に押し出す。
【００１５】
押出部１３の後面とスライド部１４の下面を囲むように収容部１５が設けられる。定荷重ばね５は、鋼製の帯体２８が巻かれた巻取部２９を有し、巻取部２９が収容部１５に収容される。押出部１３の上部に貫通孔３０が形成され、巻取部２９から引き出された帯体２８が挿通され、帯体２８が先端側に引き出される。
【００１６】
ガイド部１３の下面に、長溝３１が前後方向に形成される。長溝３１は、帯体２８に合わせた幅とされる。長溝３１の先端側に固定リブ３２が下向きに突設され、帯体２８の先端が固定リブ３２を引っ掛けられる。帯体２８の先端が固定リブ３２に引っ掛かることにより、帯体２８の先端が取付部材３に固定される。長溝３１は引き出される帯体２８を取付部材３からはみ出さないように案内する。帯体２８が長溝３１に沿って引き出されると、引き出された帯体２８が長溝３１内に入り込む。このとき、帯体２８は外部から見えない状態になるので、帯体２８と取付部材３との間に異物が挟まることはない。
【００１７】
引き出された帯体２８の先端が取付部材３の先端側に固定されることにより、帯体２８を巻取部２９に巻き戻す力が発生し、巻取部２９は押出部１３の後面に密着して、押出体４を先端側に移動させる付勢力が生じるとともに巻取部２９が収容部１５から落ちないように保持される。
【００１８】
取付部材３をフックバー７に固定されたフック２に取り付けるとき、まずフック２の先端を保持部１０に嵌め込んで、爪２２をフック２に押し込む。このように、取付部材３を簡単にフック２に取り付けることができる。しかも、定荷重ばね５は予め取付部材３にセットされているので、定荷重ばね５をフック２に取り付ける必要がなく、取付の手間が省ける。
【００１９】
押出体４の前方に複数の商品１が吊り下げられると、押出体４は最後部の商品１に押し付けられ、先端側に向かって商品１を押す。先端の商品１は保持部１０に当接するので、商品１がフック２から押し出されることはない。フック２から商品１を取り出すと、隙間をなくすように押出体４によって後側の商品１が先端側に押し出される。商品１を取り出すとき、商品１の上方にある帯体２８は取付部材３に隠れているので、商品１が帯体２８に引っ掛かることはなく、商品１をスムーズに取り出せる。
【００２０】
ここで、商品１が上下２段になったダブル型のフックに吊り下げられる場合、このフックに対応する商品押出器具を図５〜８に示す。上段のフック４０と下段のフック４１が縦フック４２によって一体的に連結され、下段のフック４１に商品１が吊り下げられる。この商品押出器具は、上段のフック４０に取り付けられる取付部材３と、取付部材３にスライド可能に取り付けられる押出体４と、押出体４を付勢力によって下段のフック４１の先端側に押し出す定荷重ばね５とから構成される。下段のフック４１の後端に連結具６が一体的に設けられ、連結具６がフックバー７に取り付けられることにより、２段のフック４０，４１は手前側に向かって水平に伸びるように保持される。下段のフック４１の先端は、斜め上方向に折り曲げられ、ストップカバー４３が嵌められている。上段のフック４０の先端には、商品１を案内するための表示部２１が着脱可能に装着される。
【００２１】
取付部材３は、上段のフック４０に取り付けられる取付部４４と、押出体４をスライド可能に支持するガイド部４５を有し、フック２と平行な直線状に樹脂成形される。押出体４は、商品１に当接する押出部４６と、取付部材３に取り付けられるスライド部４７と、定荷重ばね５を収容する収容部４８とを有し、これらは一体的に樹脂成形される。
【００２２】
上段のフック４０と平行な直線状に形成されたガイド部４５の上面に、取付部４４が設けられる。取付部４４は、上段のフック４０を挟み込む複数の爪５０を有する。爪５０が上段のフック４０の下側から嵌められると、取付部材３は、上段のフック４０の下側に取り付けられ、ガイド部４５は下段のフック４１の上方に離れて位置する。
【００２３】
ガイド部４５では、左右両側に張り出すようにレール５１が設けられる。押出体４のスライド部４７はレール５１を上下から挟み込み、スライド部４７がガイド部４５にスライド可能に支持され、押出体４はレール５１に沿ってスライドする。レール５１の先端にストッパ５２が設けられ、スライド部４７がストッパ５２に当接すると、押出体４の先端側へのスライドが規制される。押出体４が後側にスライドしたとき、押出体４は縦フック４２に当接して、後端側へのスライドが規制される。
【００２４】
スライド部４７から下方に向かって長板状の押出部４６が形成される。押出部４６の中央に縦孔５３が形成され、縦孔５３を下段のフック４１が挿通する。押出体４は下段のフック４１に沿ってスライドし、押出部４６の前面に当接した商品１を先端側に押し出す。
【００２５】
定荷重ばね５は、鋼製の帯体２８が巻かれた巻取部２９を有し、巻取部２９を収容する収容部４８が押出部４６の上部に設けられ、巻取部２９が押出部４６の前面側に配置される。押出部４６の上端の中央に切欠部５４が形成され、巻取部２９から後側に向かって引き出された帯体２８は、縦孔５３から押出体４の後面に回り、切欠部５４を通って先端側に引き出される。
【００２６】
ガイド部４５の下面に、長溝５５が前後方向に形成される。長溝５５は、帯体２８に合わせた幅とされる。長溝５５は引き出される帯体２８を取付部材３からはみ出さないように案内する。長溝５５の先端に、固定リブ５６が下向きに突設され、帯体２８の先端が固定リブ５６に引っ掛かることにより、帯体２８の先端が取付部材３に固定される。帯体２８が長溝５５に沿って引き出されると、引き出された帯体２８が長溝５５内に入り込む。帯体２８は外部から見えない状態になるので、帯体２８と取付部材３との間に異物が挟まることはない。
【００２７】
引き出された帯体２８の先端が取付部材３の先端側に固定されることにより、帯体２８を巻取部２９に巻き戻す力が発生し、巻取部２９は押出部４６の前面に密着して、押出体４を先端側に移動させる付勢力が生じるとともに巻取部２９が収容部４８から落ちないように保持される。
【００２８】
取付部材３をフックバー７に固定されたフック４０に取り付けるとき、まず下段のフック４１を押出体４の縦孔５３に挿入しながら上段のフック４０の下方に移動させる。爪５０を順に上段のフック４０に押し込む。このように、取付部材３を簡単にフック４０に取り付けることができる。しかも、定荷重ばね５は予め取付部材３にセットされているので、定荷重ばね３をフック４０に取り付ける必要がなく、取付の手間が省ける。
【００２９】
押出体４の前方に複数の商品１が吊り下げられると、押出体４は最後部の商品１に押し付けられ、先端側に向かって商品１を押す。先端の商品１はストップカバー４３に当接するので、商品１が下段のフック４１から押し出されることはない。フック４１から商品１を取り出すと、隙間をなくすように押出体４によって後側の商品１が先端側に押し出される。商品１を取り出すとき、商品１の上方にある帯体２８は取付部材３に隠れているので、商品１が帯体２８に引っ掛かることはなく、商品１をスムーズに取り出せる。
【００３０】
なお、本考案は、上記実施形態に限定されるものではなく、本発明の範囲内で上記実施形態に多くの修正および変更を加え得ることは勿論である。
【符号の説明】
【００３１】
１    商品
２    フック
３    取付部材
４    押出体
５    定荷重ばね
１０    保持部
１１    取付部
１２    ガイド部
１３    押出部
１４    スライド部
１５    収容部
２８    帯体
２９    巻取部
３１    長溝
【図１】
0003226452.tif 000003
【図２】
0003226452.tif 000004
【図３】
0003226452.tif 000005
【図４】
0003226452.tif 000006
【図５】
0003226452.tif 000007
【図６】
0003226452.tif 000008
【図７】
0003226452.tif 000009
【図８】
0003226452.tif 000010